(57)【特許請求の範囲】
【請求項１】
玉案内通路の下部に設けたガイド部材に着脱自在に装着される玉計数装置と、この玉計数装置の着脱と連動して玉案内通路を開閉する玉停止部材と、を備えるパチンコ機の玉停止装置であって、
前記ガイド部材の上方には、一対の垂直板を突設し、玉停止部材には垂直軸を設けて、この垂直軸を垂直板の間に差し込んで玉停止部材を回動可能に支持させたうえに、
玉停止部材の垂直軸の下端には水平方向に、垂直軸回動用の突片と、玉案内通路開閉用の玉停止片とを設けて、この玉停止片を金属バネにより玉案内通路を閉塞する方向に付勢するともに、
玉計数装置の上面には、爪部を突設して、
前記ガイド部材に玉計数装置を装着したときには爪部の押圧により突片が垂直軸を回転させて玉停止片を玉案内通路出口から移動させ、玉計数装置を取り外したときには金属ばねの復元力により垂直軸を逆方向に回動させて玉停止片を玉案内通路出口へ移動させるようにしたことを特徴とするパチンコ機の玉停止装置。
【請求項２】
垂直軸の下端に、垂直軸から反対方向に延びる２本のアームを設け、それらアームの側面に各々傾斜状の玉停止片を突設させた請求項１に記載のパチンコ機の玉停止装置。
【請求項３】
垂直軸の上端に、垂直軸を垂直板に支持するための、抜け止め片を設けた請求項１に記載のパチンコ機の玉停止装置。」
【発明の詳細な説明】
【０００１】
【発明の属する技術分野】
本発明は、玉を遊技者に払出す玉計数装置を遊技盤から取り外した際に、その上方にあるタンク等の内部の玉が落下してくることを防止するためのパチンコ機の玉停止装置に関するものである。
【０００２】
【従来の技術】
パチンコ機の遊技盤の裏面の玉案内通路の下部には、賞玉や貸玉を払出すための玉計数装置が取り付けられているが、この玉計数装置は玉詰まりその他のトラブルを処理するために一時的に取り外されることがある。しかし玉計数装置を取り外すとその上方にあるタンク等の内部の玉が落下して周囲に散らばってしまうおそれがある。このため、玉案内通路の出口付近に玉停止装置を取り付けて、玉の落下を防止するのが一般的である。
【０００３】
一般的には、玉停止装置と玉計数装置とは独立したものであるが、両者を連動させ、玉計数装置を取り外したときは玉停止装置が機能して玉の流れを堰き止め、一方玉計数装置を取り付けときは玉停止装置が解除されるようにする提案もなされている。
【０００４】
例えば特開平１０−１５５９９７号公報には、通路体の下部裏面に、玉止め装置を設けた弾球遊技機が開示されている。この玉止め装置は賞球払出し装置、すなわち玉計数装置を装着した状態ではストップレバーのストッパー部が支軸を中心に後方に揺動して侵入穴から退避して玉を流すことが可能になり、一方玉計数装置を取り外したときには、スプリングの付勢力により上下昇降杆が下降してストップレバーのストッパー部を侵入穴に侵入させて自動的に案内通路の玉を止めるようになっている。
【０００５】
また、特開平１０−３２８３７９号公報には、玉案内通路に弾性変形可能な玉止め部材を備えた弾球遊技機が開示されている。この玉止め部材は、玉計数装置を取り付けたときは、上部の支点を中心にして玉止め部材が弾性変形して玉止め片部の突端が侵入穴から後方に退避して玉を流すことが可能になり、一方玉計数装置を取り外したときは、玉止め部材の弾性変形による復元力により玉止め片部の突端が侵入穴から突き出ることによって自動的に通路体の玉の流れを堰き止めるようになっている。
【０００６】
しかしながら、上記したいずれの玉止め装置もそれ自体の構造が複雑であるうえに、玉計数装置を斜め上方に持ち上げながら装着しなければならないために玉計数装置の着脱が容易ではなく、薄肉のプラスチック部材を使用しているために耐久性にも問題があった。
【０００７】
【発明が解決しようとする課題】
本発明は上記した従来の問題点を解決し、構造が簡単であり、着脱が容易であり、耐久性にも優れ、しかも玉計数装置の着脱と連動して機能するパチンコ機の玉停止装置を提供するためになされたものである。
【０００８】
【課題を解決するための手段】
上記の課題を解決するためになされた本発明のパチンコ機の玉停止装置は、玉案内通路の下部に設けたガイド部材に着脱自在に装着される玉計数装置と、この玉計数装置の着脱と連動して玉案内通路を開閉する玉停止部材と、を備えるパチンコ機の玉停止装置であって、
前記ガイド部材の上方には、一対の垂直板を突設し、玉停止部材には垂直軸を設けて、この垂直軸を垂直板の間に差し込んで玉停止部材を回動可能に支持させたうえに、
玉停止部材の垂直軸の下端には水平方向に、垂直軸回動用の突片と、玉案内通路開閉用の玉停止片とを設けて、この玉停止片を金属バネにより玉案内通路を閉塞する方向に付勢するともに、玉計数装置の上面には、爪部を突設して、
前記ガイド部材に玉計数装置を装着したときには爪部の押圧により突片が垂直軸を回転させて玉停止片を玉案内通路出口から移動させ、玉計数装置を取り外したときには金属ばねの復元力により垂直軸を逆方向に回動させて玉停止片を玉案内通路出口へ移動させるようにしたことを特徴とするものである。なお、垂直軸の下端に、垂直軸から反対方向に延びる２本のアームを設け、それらアームの側面に各々傾斜状の玉停止片を突設させたり、垂直軸の上端に、垂直軸を垂直板に支持するための、抜け止め片を設けたりすることができる。
【０００９】
【発明の実施の形態】
以下に本発明の実施の形態を図に従って説明する。
図１において、２は遊技盤の裏面に設けられた玉案内通路であり、上部の玉タンクから供給される玉１を左右に蛇行させて圧力を殺しながら下部の玉案内通路出口３へと運ぶものである。この例では玉案内通路２は途中で分岐し、賞玉用と貸し玉の２つの玉案内通路出口３を備えている。そして玉案内通路出口３の支持部材１７の下面には、玉計数装置４を盤面に垂直にスライド式に嵌め込むための断面Ｌ字状のガイド部材１５が、左右に対をなして設置されている。
【００１０】
図６に示されるように、玉計数装置４の上部両側には上記ガイド部材１５に差し込んで該計数装置を嵌め込み固定するための突起部１６が設けられていて、突起部１６をガイド部材１５にスライドさせて嵌め込むことによって、玉計数装置４を玉案内通路出口３の直下に固定することができる。
【００１１】
図５、図６に示されるように、ガイド部材１５の上方にはプラスチック製の軸受片１２が設けられている。この軸受片１２は機構盤の裏面から左右一対の垂直板を突設させたものである。この軸受片１２には、プラスチック製の玉停止部材６の垂直軸８が図６のように支持されている。
【００１２】
玉停止部材６は、垂直軸８の下端に玉計数装置４の上面の爪部５と係合する突片７と、玉案内通路２の玉案内通路出口３を閉塞する玉停止片９とを、水平方向に突設したものである。垂直軸８の上端には抜け止め片１４が設けられており、軸受片１２の間から垂直軸８を差し込むだけで、容易に垂直軸８を支持させることができる。なお、垂直軸８の回転角度αは図４に示すように小さいため、抜け止め片１４を垂直軸８の全周に設ける必要はない。
【００１３】
この実施形態では突片７は単一のアームであるが、玉停止片９は垂直軸８から反対方向に延びる２本のアームの側面に、それぞれ傾斜状に突設されている。これは上記した２つの玉案内通路出口３を同時に開閉させるためである。また一方のアームは手動操作片１３となっており、指先で玉停止部材６を操作できるようになっている。他方のアームの側面には凹部１１が形成されており、図３に示すように金属ばね１０の下端が係合されている。この金属ばね１０は、玉停止部材６を垂直軸８の回りに反時計方向に付勢するためのものである。この実施形態の金属ばね１０は、玉案内通路２の途中に設けられた玉抜き板１８を図３のように閉じ位置に保持する機能をも兼ねるようになっている。しかし玉停止部材６に専用の金属ばねを設けてもよいことはいうまでもない。
【００１４】
このように構成された本発明のパチンコ機の玉停止装置は、図1、図２に示すように玉計数装置４を盤面に垂直方向からガイド部材１５に嵌め込むと、玉計数装置４の上部に突き出るような形で設けられた爪部５が、玉停止部材６の突片７を金属ばね１０に抗して時計方向に押し込み、垂直軸８を回転させる。その結果、玉停止片９も同方向に回転して玉案内通路出口３を開放するため、玉案内通路２を通過した玉１は、玉案内通路出口３から支障なく玉計数装置４に入る。
【００１５】
次に図３、図４に示すように玉計数装置４をガイド部材１５から取り外すと、それまで突片７を押し込んでいた玉計数装置４の爪部５が後退するため、金属ばね１０の復元力により玉停止部材６の垂直軸８は逆方向（反時計方向）に回動し、玉停止片９を玉案内通路出口３の下部へ移動して玉案内通路出口３を閉塞する。この結果、玉１が玉案内通路出口３から落下することが防止される。このように本発明によれば、玉計数装置４をガイド部材１５から取り外すと同時に玉止めができ、玉計数装置４をガイド部材１５に装着すると同時に玉１の供給を再開することができる。
【００１６】
この実施形態では、玉停止部材６の垂直軸８を回転させることにより、複数の玉停止片部９が二つの玉案内通路出口３を閉鎖することができるようになっている。また、玉計数装置４をガイド部材１５からとりはずした状態においては、玉停止部材６の手動操作片部１３を手動で操作して、必要に応じて玉を流したり止めたりすることができる。
【００１７】
【発明の効果】
以上に説明したとおり、本発明のパチンコ機の玉停止装置によれば、玉計数装置の着脱と連動させて玉案内通路出口を自動的に開放したり閉塞したりすることができる。また玉計数装置を盤面に垂直方向に簡単に着脱することができる。さらに、玉停止部材は衝撃を受けても損傷しにくい強度のある一体構造を有し、ヤング率が高く、弾性力の劣化が極めて小さい金属ばねを使用したので、装置全体も耐久性に優れたものとなる。よって本発明は従来の問題点を解決したパチンコ機の玉停止装置として、価値の高いものである。
【図面の簡単な説明】
【図１】  玉計数装置を取り付けた状態を示す縦断面図である。
【図２】  図１のａ−ａ’断面図である。
【図３】  玉計数装置を取り外した状態を示す縦断面図である。
【図４】  図３のｂ−ｂ’断面図である。
【図５】  玉停止部材および軸受片の斜視図である。
【図６】  玉停止部材、軸受片および玉計数装置を組み込んだ状態を示す斜視図である。
【符号の説明】
１  玉
２  玉案内通路
３  玉案内通路出口
４  玉計数装置
５  爪部
６  玉停止部材
７  突片
８  垂直軸
９  玉停止片
１０  金属ばね
１１  凹部
１２  軸受片
１３  手動操作片
１４  抜け止め片
１５  ガイド部材
１６  突起部
１７  支持部材
１８  玉抜き板
【図１】
0003948859.tif 000002
【図２】
0003948859.tif 000003
【図３】
0003948859.tif 000004
【図４】
0003948859.tif 000005
【図５】
0003948859.tif 000006
【図６】
0003948859.tif 000007